(57)【要約】【課題】  電子秤に対してワンタッチで強固に固定できる着脱手段を設けた着脱型風防を得ること。【解決手段】  着脱型風防１の下部フレーム部材５に対しては、風防１の内外に移動する移動部材１２が一対設けられ、移動部材１２には電子秤２の秤量皿部床部材１５の裏面と係合する係合部材が設けられ、移動部材１２を風防の外側に引き出した状態で着脱型風防１を電子秤２に載置し、この状態で両移動部材１２を押し込む。これにより移動部材１２に設けられた係止部材が電子秤２側の秤量皿部床部材１５の裏面に係止し、着脱型部材１と電子秤２とは一体的に係合する。風防１の取り外しは移動部材１２を引き出して秤量皿部床部材１５と係止部材との係合状態を解除することにより行われる。移動部材１２の操作により風防１の着脱は容易にかつ瞬時に行うことができる。【選択図】        図１
2008216047.tif 000002
【特許請求の範囲】
【請求項１】
使用者の用途に応じて適宜着脱可能に構成された電子秤等の秤量装置用の風防において、風防底部には取付対象である秤量装置に対して風防本体を着脱する着脱機構が複数設けられ、当該着脱機構の各々は秤量装置側の既設の部材と直接係合する係合部材を有しかつこの係合部材を風防内部に対して前進・後退させる移動部材と、この移動部材を所定の位置で固定する固定手段とを有し、係合部材の前進・後退により、当該係合部材と秤量装置側の既設の部材との係合及び係合解除を行うことにより秤量装置に対する着脱を行うよう構成したことを特徴とする着脱型秤量装置用風防。
【請求項２】
風防本体の一部を構成する下部フレーム部材には案内溝が形成され、移動部材はこの案内溝に沿って摺動するよう構成されていることを特徴とする請求項１記載の着脱型秤量装置用風防。
【請求項３】
移動部材を所定の位置で固定する固定手段は、移動部材側に設けられ、かつ移動部材の側壁外部に向かってに突出するよう付勢されている係止ピンと、案内溝側に設けられた係合凹所とから成り、係合凹所は移動部材の移動方向に対して複数箇所形成され、移動部材の移動に対応して係止ピンが所定の凹所と係合することにより移動部材を所定位置に固定するよう構成したことを特徴とする請求項１又は２記載の着脱型秤量装置用風防。
【請求項４】
移動部材と係止部材とは別個に構成され、これら移動部材と係止部材とのうち、少なくとも係止部材は金属材料により形成されていることを特徴とする請求項１乃至３の何れかに記載の着脱型秤量装置用風防。
【請求項５】
前記係止部材と直接係合する秤量装置側の部材は秤量皿下部に配置された秤量皿部床部材であることを特徴とする請求項１乃至４の何れかに記載の着脱型秤量装置用風防。
【請求項６】
秤量装置に対する風防の固定時に、移動部材に設けられた係止部材の床材当接部が秤量皿部床部材の裏面に係合するよう構成したことを特徴とする請求項５記載の着脱型秤量装置用風防。
【請求項７】
着脱機構は風防本体底部において、風防前部を中心として左右に対向する位置で２箇所形成されていることを特徴とする請求項１乃至６の何れかに記載の着脱型秤量装置用風防。
【発明の詳細な説明】
【技術分野】
【０００１】
本発明は電子秤をはじめとする秤量装置用の風防に係り、特に秤量装置に対する取り付けが確実で、かつ秤量装置使用者がその目的に応じて適宜着脱することが可能な着脱型の風防に関する。
【背景技術】
【０００２】
秤量装置のうち、電子天秤と称される電磁平衡式秤量装置や、高精度のロードセル式秤等をはじめとする所謂電子秤は微小な質量の測定が可能であるが、反面外乱による影響も大きい。この外乱うちの一つが測定対象を載置する秤量皿周辺の空気の流れである。
【０００３】
例えばエアコンによる空気の流動、測定時の人の息、人が歩く場合に発生する空気の流動等が秤量皿を中心とした荷重負荷部分に風圧として作用して、秤量皿が風圧により所謂煽りを受けて計量値が安定しなかったり、或いは測定誤差を生じたりする事態が発生する。このため分析天秤と称される最小表示が０．１ｍｇ程度の高精度の電子秤は当然のことながら、汎用天秤と通称される最小表示が０．０１ｇ乃至０．００１ｇ程度の機種まで、秤量皿を中心として荷重負荷部を覆う風防が用いられている。
【０００４】
分析天秤の場合には風防は正確な荷重測定を行うための必須要素となるため、風防は電子秤の一部として、即ち電子秤本体と一体的に形成されているが、上記汎用天秤の場合には電子秤本体とは別個に形成された着脱可能な風防を必要に応じて当該電子秤に対して使用する構成となっているものが多い。
【０００５】
分析天秤のように電子秤本体と一体となっている風防は、風防の左右や上部に開閉部（以下実施例も含めて「ドア」と称する）を有し、使い勝手も良好であるが、このドアの開閉を確保するためのフレームやドア摺動部の形成等のため風防部分が複雑化することは避けられない。また、着脱型の風防は軽量化、低価格化等の要請から本体一体型の風防に比較して構造が簡単であるものが多いが、一体型風防に比較して使い勝手が劣るものが全体的に多い。  
【０００６】
分析天秤のみでなく汎用天秤においても今後一層の高精度化が進むものと考えられ、更には汎用天秤と称される分野の電子秤の高性能化に伴い、分析天秤、汎用天秤の仕分けが困難或いは意味のないことになる事態も想定される。このような点も含めて電子秤全体としての風防の必要性は今後益々増加するものと予想される。
【０００７】
このような観点も含めて電子秤に対して着脱可能な着脱型風防が下記特許文献に示されるように幾つか提案されている。
【特許文献１】特許第３５０１８５７
【特許文献２】特開２００３−１３０７２１
【特許文献３】特開平１０−２５３４３５
【特許文献４】米国特許４７９８２５０
【特許文献５】特許第３４４５５３８
【発明の開示】
【発明が解決しようとする課題】
【０００８】
着脱型、一体型を問わず風防の使い勝手から見ると、風防内部を開放するため風防側部や、風防頂部の開放が可能であって、試料の大きさや試料の種類（液体、粉体等）によって所定の部分を適宜開放して試料の出し入れや計量を行うよう構成することが望ましい。例えばスポイトを用いて液体の試料を秤量皿上の容器に滴下する場合等においては風防の上部が開放されれば作業が非常に楽になる等である。また、風防内に対する試料の出し入れ、長尺物等の大型の試料の計量を考えると風防自体の容積が大きい大型の風防が望ましい。
【０００９】
上記特許文献のうち特許文献１記載の技術は略立方体の着脱型風防を、秤量皿を中心とした電子秤上面に載置し、風防上部を開閉することにより風防内に対する試料の出し入れを行うよう構成されている。また特許文献２に記載のものはこの特許文献１記載の構成と同一の目的、構成をもった技術である。
【００１０】
また、特許文献３及び４記載の技術は略円筒形に形成された風防を円筒軸心方向に対して２分割し、一方の半円筒が他方の半円筒内に収納可能に構成することにより両半円筒を適宜回動して風防の開閉を行う着脱型風防として構成されている。
【００１１】
先ず上記特許文献１乃至４に示される着脱型風防においては、何れも一体型風防の構成に比較して風防が電子秤等の秤量装置に対して小型、小容量に構成されている。風防が小型、小容量であることは、前述のとおり風防の使い勝手、利便性と言う点からみればこれらに逆行するものである。また風防の開閉部も事実上上部のみであったり、或いは半円筒の開放部であったりして、風防の上下左右が適宜開放可能な一体型風防に比較してこの点においても使い勝手が劣るものである。
【００１２】
これら特許文献記載の技術において上記のような問題があるのは以下の理由によるものと考えられる。
先ず、上記各特許文献の着脱型風防は何れも電子秤等の秤量装置に対して単に載置するだけであり電子秤側と特別な固定係合状態を持つものではない。精々、風防下端部が電子秤表面に形成された凹所と嵌合したり、一方の凸部と他方の凹所を係合させる程度である。従って、利便性を求めて風防を大型化したり、上部や左右に開閉部を設ける等の構成とすると開閉部の操作により風防が徐々に位置ずれしたり、最悪の場合風防が転倒する等の事態が予測される。風防自体が自然に転倒することは通常は考えられないが、例えば電子秤使用者の手が当たったり、何らかの器具が当たって転倒する事態は少なからず予想される。
【００１３】
一体型風防では風防下部の電子秤本体部分の重量が大きいため電子秤全体では重心が低くなり、例え人の手や何らかの器具が当たっても電子秤全体が倒れることは殆ど想定できない。このような事態においては、一体型風防を有する電子秤の機能の中心をなす秤量機構部もそれ相当の衝撃を受けることになって電子秤としては決して好ましい状況ではないが、風防が転倒して、他の機材を破壊したり、或いは近くにある薬品容器に当たって薬品が散乱したり、或いは風防自体が破損する等の事態と比較すれば風防自体が転倒しないほうがより安全であるといえる。
【００１４】
上記の点から考えれば着脱型風防であっても電子秤に対する装着時は電子秤に対して確実に固定されることが望ましい。しかし、電子秤に対する着脱型風防の固定を確実にするためには、風防側のみでなく電子秤側にも風防と係合する機構を別途構成しなければならなくなる。また仮にこのような係合機構を電子秤側に設けても、その構成が複雑であったり、操作が難しかったりすれば、目的に応じて風防使用の要否を適宜決められるという着脱型風防の大きな利点を失うことになる。
【００１５】
結局、上記特許文献１乃至４に記載の各技術はこれらの点に鑑み、大型の風防の利点は認識しつつも転倒、位置ずれ等の防止のため、利便性、各種の大小の試料に対応するという汎用性をある程度犠牲にして着脱型風防を小型に形成せざるを得なかったものと推測される。因みに上記特許文献１及び３は本願出願人の出願になるものであるが、当該特許文献記載の技術を開発する時点において上記の点を考慮し風防を構成している。また、特許文献３及び４の構成では風防を厚手のガラスで構成して風防の重量を敢えて増加させ、この大きな自重により風防の転倒を防止する配慮がなされた機種が実機として存在する。
【００１６】
以上に示した特許文献１乃至４に対して、特許文献５に記載される発明では特許文献１乃至４記載の発明の上記問題点を相当程解決しているものと考えられる。即ち同文献５に記載の発明は風防側にラッチスライドと称する摺動型の係合部材を設け、かつ電子秤本体側にはこのラッチスライドと係合するつばつきボルト等の係合部材を別途突設し、風防の装着時にはつばつきボルトのつば幅よりも大きな開口を有するラッチスライドの開口部をつばつきボルトにあわせ、この状態でラッチスライドを摺動させることによりつばつきボルトのつば幅よりも小さな開口部とつばつきボルトを係合させることにより風防を電子秤本体に対して係合固定させるように構成されている。
【００１７】
上記の係合手段を設けた結果、風防と電子秤本体とは比較的強固に連結されるため、着脱可能な風防の大型化が可能となり、実際に当該文献５の発明においてもこの着脱型風防は上部ドア及び左右のドアを有する大型の着脱型風防として提案されている。
【００１８】
しかしながら、風防と電子秤本体との係合はつば付きボルトを介して行われるため前述のように風防に手や物が当たった場合にはその衝撃はつば付きボルト一点に集中し、つばつきボルトやラッチスライドのつばつきボルトとの係合部に大きな損傷を与える虞がある。またラッチスライドには所定の位置に正確に停止させるためのストッパ機構がないため、ラッチスライドの移動位置がずれて停止していると前記つばつきボルトとラッチスライドが係合しなくなる虞がある。
【００１９】
更に、つば付きボルトはラッチスライドと係合させるため、当然のことながらつば部分を中心としてボルトの一部が電子秤の上部ケースから上面に突出することになる。この構成は主として風防を取り外した状態で電子秤を使用する場合に問題が発生する可能性がある。電子秤を始めとして上皿式の秤量装置では秤量皿周辺はできるだけフラットに形成されることが望ましく、存在理由の無い、つまり秤量作業そのものに対して必然的でない突出物がケース上面に突出することは嫌われる。このような突出物があると計量作業中に物が引っ掛かったり、白衣の袖が引っ掛かったりして計量作業を妨げる恐れがあり、また秤量皿周囲の清掃にも邪魔になるからである。
【００２０】
更に、風防使用を前提とした環境下でも上記点が問題となることがある。即ち、各種製造ラインにおける専用機として電子秤を使用する場合、自動機との取り合わせを行う必要上、専用風防を取り外し、自動機を含めた全体に囲い（大型の風防）を形成して作業を実施する場合があるが、この場合には電子秤については専用風防が取り外されているため突出物について上記と同様の問題がある。
【００２１】
また、風防前方は電子秤前方の表示部（テンキー等の操作部）と対応する位置になること、また風防側部には左右のドア摺動用の溝等が形成されているためラッチスライドの摺動方向は風防の前後方向となり、かつその摺動操作端は同特許文献５の図３に示されるように風防の後端に限定されることになる。このためラッチスライド操作の必要上、風防を取り付けた電子秤の後部を壁面に近接配置することができない等の事態が生じる。因みに、電子秤の配置環境は通常他の機器や器具が置かれているため電子秤の配置位置も自由に選択できることが望ましい。
【課題を解決するための手段】
【００２２】
本発明は上記特許文献記載の技術では解決できなかった課題を解決したものであって、一体型風防と同等、或いはそれ以上の容量と風防開閉機能とを有し、しかも配置位置が自由に選択でき、かつ極めて容易な操作により秤量装置に対する着脱を可能にした着脱型の風防であることを特徴とする。
【００２３】
即ち本発明は、例えば風防本体上部、風防本体左右等に開放部が形成され、且つ風防容量が一体型風防と同等或いはそれ以上の大型風防として構成された着脱型風防であって、風防底部には取付対象である秤量装置に対して風防本体を着脱する着脱機構が複数箇所設けられ、これらの着脱機構は係合部材と、この係合部材を風防内部に対して前進・後退させる移動部材と、この移動部材を所定の位置で固定する固定手段とを有し、係合部材の前進・後退により当該係合部材を例えば電子秤の秤量皿配置面として既設の床プレート（ダストプレート）端部と係合し或いはこの係合状態を解除することにより、移動手段のワンタッチ操作により秤量装置に対する風防の着脱を行うよう構成したことを特徴とする着脱型風防である。
【発明の効果】
【００２４】
本発明は電子秤本体側に設けられている既設の部材を風防の係合手段として利用するよう構成されているため、電子秤本体に対しては基本的に改造を加えたり新たな部品を装着することなく着脱型風防を電子秤に取り付けることができる。このため幅広く各種電子秤に対して本風防を装着することが可能となる。
【００２５】
また電子秤との係合は電子秤に対して２箇所若しくはそれ以上の多点で係合固定されるため電子秤と風防との係合は非常に強固となり、この結果脱型風防であるにも係わらず一体型風防と同等或いはそれ以上の大容量で、かつ開閉部分の多い着脱型風防として構成することが可能となる。また風防の転倒等の虞が事実上無いので、着脱型風防であるにも係わらず一体型風防と同等若しくはそれ以上に使い勝手が良好でかつ安全な風防として使用可能である。
【発明を実施するための最良の形態】
【００２６】
着脱型風防を構成する各部は合成樹脂により構成し、着脱型風防を大型に構成しても風防全体を軽量に構成する。風防の取付対象である電子秤には基本的に改造を加えず、秤量皿部床材に着脱型風防に設けられた着脱機構の係止部材を係止するよう構成する。
【実施例１】
【００２７】
以下本発明の実施例を図面を用いて説明する。
図１は本発明に係る着脱型風防本体１と、この着脱型風防１を取り付ける対象である秤量装置たる電子秤２とを示している。なお、以下特に必要とする場合を除いてこの着脱型風防本体１は単に風防１として説明する。
【００２８】
先ず風防１の構成について説明する。                                              図示の風防１において符号３Ａ、３Ｂは風防１の一部を構成する左右二つのスライドドアを示す。図示の風防１は略円筒形に形成され、且つスライドドア３Ａ、３Ｂはこの円筒形の側壁の一部を成す構成とすることにより、スライドドア３Ａ、３Ｂは円筒形の投影形状である円周に沿って開閉するよう構成され、従ってスライドドア３Ａ、３Ｂを開いたときもこのスライドドア３Ａ、３Ｂが風防後部に突出することはない。符号５はやはり風防本体１の一部を構成する下部フレーム部材、７は上部フレーム部材、６はこれら上下のフレーム部材７、５を連接する後部フレーム部材であって、前記左右のスライドドア３Ａ、３Ｂはこれら上下のフレーム部材７、５に形成された案内溝に沿って開閉するよう構成されている。
【００２９】
符号４は正面固定パネルであって上下のフレーム部材７、５に上下の端部が嵌合することにより、図の通り風防本体１の中央正面位置で固定されている。また符号８は上部ドアであって、上部ドア８を上部フレーム部材７に取り付けるビス９を中心として回動することにより上部空間を開閉するよう構成されている。
【００３０】
前記の上下フレーム部材５、７、後部フレーム部材６、及びこれら各フレーム部材５、６、７により挟持或いは支持された左右のスライドドア３Ａ、３Ｂ及び固定パネル４、及び上部フレーム部材７に設けられた上部ドア８の各部材により全体が略円筒形をした風防本体１が構成される。
【００３１】
以上に示した各構成部材の形成材料は別段特定する必要はないが、例えば上下、後部のフレーム部材７、５、６をアルミダイキャスト、左右のスライドドアと上部ドア３Ａ、３Ｂ、８をガラス製とすると風防本体１全体の重量がかなり大きくなりかつ製造価格も上昇する。これらの点を考慮すると、前記各部材を合成樹脂により構成し、このうち左右のスライドドアと上部ドア３Ａ、３Ｂ、８を透明なアクリル樹脂とすれば風防本体１全体を軽量化することが可能でかつ製造価格も低く押さえることができる。
【００３２】
次に風防本体１の電子秤２に対する着脱を行う着脱機構の構成を説明する。
先ず、係止手段の基本的な機能の概略を示し、続いてこの機能を達成するための機構を具体的に説明する。
即ち、風防本体底部には風防本体を電子秤に載置した時に、電子秤に予め設けられている秤量皿部床材の下面に進入する係止部材が設けられ、この係止部材を前進・後退させる手段により係止部材の前進・後退を行わせ、電子秤に対する風防本体の係合及び係合状態の解除を行うことにより風防の着脱を行うものである。
【００３３】
以下着脱機構の構成を具体的に説明する。
着脱機構は、電子秤の秤量皿配置床材と直接係合する係止部材と、この係止部材が取り付けられておりかつこの係止部材に対して前進・後退動作を行わせる移動部材とから成り、風防本体の一部を成す下部フレーム部材５に形成されこの移動部材の前進後退動作を案内する案内溝とから構成される。
【００３４】
図２（Ａ）、（Ｂ）、図４（Ａ）において符号１１は係止部材であって、金属板等の強度の高い材料により構成されている。１２は移動部材であって、ビス２０等の固定手段により係止部材１１はこの移動部材１２に対して固定されている。この取り付けにより係止部材１１のうち後述する電子秤側の秤量皿部床材と直接係合する床材当接部１１ａが移動部材１２の先端部から突出した構成となっている。また移動部材１２において、この床材当接部１１ａが突出した側の端部と対向する側の端部は、移動部材１２の出し入れ操作をする場合のつまみ部１２ａとなっている。
【００３５】
符号１４ａ、１４ｂは係止ピンであって、移動部材１２の側壁１２ｂに対してこの側壁１２ｂに直交するよう配置され、両係止ピン１４ａ、１４ｂは両者の間に介在配置されるコイルバネ（図示せず）等の弾性体により図２（Ａ）において矢印で示すように移動部材１２の側壁１２ｂの外側に突出するよう付勢されている。
【００３６】
次に主として図５乃至図７を用いて下部フレーム部材５に設けた移動部材１２の前進・後退動作を案内する案内溝の構成を説明する。符号１３は案内溝を示す。この案内溝１３は、図５、図６に示すように下部フレーム部材５の周壁部に対してほぼ対向するよう２か所形成されている。案内溝１３は正面形状が略Ｔ字型に形成され（図５参照）、上部の水平部１３ａにおいて、移動部材１２の側壁部１２ｂの上部で側壁部１２ｂの外側に展出している庇部１２ｃが嵌挿され、水平部１３ａの下部の垂直部１３ｂには移動部材１２の側壁部１２ｂが位置するように構成されている。これにより移動部材１２はこの案内溝１３から脱落することなく案内溝１３に沿って円滑に出し入れ可能に構成されている。
【００３７】
案内溝１３の両側の垂直部１３ｂには、案内溝１３の奥行き方向に対して、係合凹所１３ｃ、１３ｄがそれぞれ形成され（図７参照）、後述するように案内溝１３に沿って移動部材１２の出し入れ操作をする場合、移動部材１２側の係止ピン１４ａ、１４ｂがこれら係合凹所１３ｃ、１３ｄの何れかと係合することにより、案内溝１３における移動部材１２を所定の位置に停止固定させるよう構成されている。
【００３８】
続いて、着脱型風防１が直接係合する対象である電子秤２の秤量皿部床部材について主として図１を用いて説明する。図中符号１５はこの秤量皿部床部材を示す。秤量皿部床部材１５自体は電子秤に対して従来から取り付けられている部品であって、秤量皿接続部１６を中心として秤量皿配置面に、ビス１７等により固定されている。秤量皿部床部材１５は通常ステンレス鋼、或いはクロムメッキを施した鋼材等により構成されている。電子秤２を構成する筐体はアルミダイキャスト或いは合成樹脂成形品により構成されているが、この筐体に対して直接秤量皿を配置する構成とすると、筐体表面に落下した試料の除去が困難であったり筐体が合成樹脂の場合には試料の種類によっては筐体自体が試料によって溶解する等の事態が想定される。このため秤量皿部床部材１５が設けられている。
【００３９】
符号１８はこの秤量皿部床部材１５の周囲を覆うようにして電子秤２の筐体側に突設された堰堤部であって、秤量皿部床部材１５の裏面に対するゴミ等の進入を防止し、かつ従来の汎用天秤のように風防なしで使用する場合にも秤量皿部床部材１５の下面に空気の流れが入り込むのを防止する役目を持っている。この堰堤部１８のうち風防１の着脱機構が位置する部分については着脱機構のうちの移動部材１２の動作を確保するため切り欠き１８ａが構成されている。また切り欠き１８ａは秤量皿部床部材１５上に落下した試料やゴミがあるばあいにこの落下試料やゴミを拭き出す（掃き出す）開口部としても利用可能である。特に食品業界では、製品に対する材料の混交やゴミの混入問題は所謂「コンタミ問題」として極めて切実な問題であり、生産に係わる設備の清掃は数時間／日で毎日実施されるのが常態である。このため食品生産ライン等に配置された電子秤に対しても前記開口部が形成されていることにより清掃が容易となり、これら清掃が必要な環境下での利便性が高いものである。
【００４０】
秤量皿部床部材１５を配置することにより上述のような粉体や液体の試料が落下しても、試料に対する耐性が高く、表面も鏡面加工のように平滑に加工されているため試料を容易に拭き取ることができる。またその構成材料は金属板であるため、本来物理的強度も非常に高い。本発明はこの秤量皿部床部材に対して風防を係止することにより風防を電子秤に固定するものである。
【００４１】
図８は風防１を電子秤２に対して着脱する場合において案内溝１３と移動部材１２との係合状態を具体的に示している。また図３は図８に示す移動部材１２の係止部材１１と電子秤２側の秤量皿床部材１５との係合状態を概念的に示している。両図を用いて着脱型風防１と電子秤２との係合状態を次に説明する。
【００４２】
図８（Ａ）及び図３（Ａ）は移動部材１２の係止ピン１４ａ、１４ｂが案内溝１３の対向する垂直壁１３ｂの各々ににそれぞれ凹設されている係合凹所１３ｃ、１３ｃと各々係合することにより移動部材１２が風防１の外側に引き出された位置で固定されいている状態を示す。この状態においては係止部材１１の床材当接部１１ａは案内溝１３側に引き込まれており電子秤２側の秤量皿部床部材１５と係合していないため、風防本体１は電子秤２に対して取り外し可能な状態となっいる。
【００４３】
なお、係止部材１１先端の床材当接部１１ａは係止部材１１の本体部よりも幅広に形成され、係止部材１１全体が平面略Ｔ字形になっいているため、移動部材１２を引出し方向に移動させても床材当接部１１ａが案内溝１３の端縁に係止するため、移動部材１２が風防１から脱落することはをない。
【００４４】
この状態で風防本体１を電子秤２に対して載置する。この場合前述の堰堤部１８に形勢された切り欠き１８ａが、風防本体１を電子秤２の所定の位置に配置する場合の有効な目印となる。
【００４５】
風防１を電子秤２の所定の位置に配置した状態で、移動部材１２のつまみ１２ａを押し込むと移動部材１２は図８及び図３の（Ａ）の状態から（Ｂ）の状態に至り、係止ピン１４ａ、１４ｂが係合凹所１３ｃ、１３ｃに位置し、移動部材１２は係止部材１１が下部フレーム部材５の内側に突出した状態でその位置が固定される。これにより係止部材１１の床材当接部１１ａが秤量皿部床部材１５の裏面と密着係合し、この係合状態により風防１は電子秤２に対して強固に固定される。移動部材１２の係止部材１１及び秤量皿部床部材１５は金属材料により形成されているため物理的強度は十分高い。このため強度的には風防１を取り付けた状態の電子秤２を、風防１を持って持ち上げることは容易に可能であるが、現実の使用においては風防１のドアがずれて電子秤を落としたり風防に指紋がついて汚れる等の理由により移動時には電子秤本体を持って移動させる必要がある。
【００４６】
図９、図１０は風防１の着脱状態を具体的に示している。
図９（Ａ）、（Ｂ）では風防１の移動部材１２のつまみ１２ａをＸ１、Ｘ２方向に引き出して風防１を電子秤２に対して配置可能にしておき、この状態で風防１を電子秤２に装着する。この場合前述のように堰堤部１８の切り欠き１８ａに風防１側の移動部材１２が位置するようにして風防１の位置決めが容易に行える。
【００４７】
風防１を電子秤２の所定の位置に配置したならば図１０（Ａ）、（Ｂ）に示すように風防１の両移動部材１２をＹ１、Ｙ２方向に押し込むことにより移動部材１２の係合部材１１が電子秤２の秤量皿部床部材１５と係合し、風防１は一体型風防のように電子秤２に対して強固に固定一体化される。
【００４８】
以上の構成となっているため、左右の手を用いて両移動部材１２を同時に出し入れ操作すれば風防の着脱は瞬時に、まさにワンタッチで行うことができる。移動部材１２が風防の正面を中心として当該風防１の底部両側に形成されているため、電子秤使用者は秤量物の計測時と同様な姿勢で椅子に掛けたまま電子秤２の正面に向かって両手で左右の移動部材１２を操作して風防１の着脱操作ができる。つまり風防の着脱に当たって立ち上がったり、風防の背面側に顔を向けて風防背後で操作する等の特別な動作をする必要が全くなく、計量動作の一環として風防の着脱作業を適宜行うことができる。このため、例えば計量結果の必要最小表示が大きくても良いときには風防を取り外しておき、反対に必要最小表示が電子秤の性能に近い小さなものである必要がある場合には風防１を装着する等、電子秤使用者が計量作業の流れのなかで、風防着脱のための特別な動作をすることなく、風防１の着脱を必要性に応じてその都度容易に行うことができる。この場合風防１全体を合成樹脂製とする等して風防１を軽量化させておけば本発明の利便性は更に向上する。また風防取り付けが２点で行われ風防取り付け時の風防と電子秤との係合状態が非常に強固であるために、自重が小さい合成樹脂製としても風防の転倒や位置ずれ等の懸念が無く、従って風防の容量及び、開閉部の設定等を自由に決めることができる。
【００４９】
また、風防１の着脱が風防正面を中心として風防両側に配置された移動部材１２を出し入れする操作で行うこと、及び風防１のスライドドア３Ａ、３Ｂの開閉の軌跡は円を成し、スライドドア３Ａ、３Ｂを開いた時もスライドドア３Ａ、３Ｂは風防１の後部に突出することがないことにより、風防１の着脱を前提としても当該風防１を装着した電子秤２を背後の壁面に密着する程度に近接位置させることもでき、研究室、生産ライン等元々電子秤の配置に対する空間的制限が大きい環境下での使用においても、風防１の使い勝手だけでなく電子秤２の配置位置の自由度も高めることができる。
【００５０】
なお、上述の構成では電子秤２側の係止対象を電子秤に既設の秤量皿部床部材１５としたが、電子秤２側に係止部材１１と係合する係合片を別途取り付けたり、堰堤部１８にスリットを形成し、係止部材１１をこのスリットに対して出し入れすることにより係合、係合状態の解除を行うよう構成する等、適宜設計変更も可能である。
【産業上の利用可能性】
【００５１】
研究所や学校或いは個人使用の場合のように個々の電子秤を個別に使用する場合の他、各種生産ラインに複数の電子秤を配置して適宜計量作業を行う場合、使用環境の変化により所定の電子秤に対して適宜風防を着脱する等、複数の電子秤に対する風防の使い回し等を実施することもできる。
【図面の簡単な説明】
【００５２】
【図１】本発明に係る着脱型風防を示す風防及び電子秤の斜視図である。
【図２】着脱機構の一部を成す移動部材と係止部材を示し、（Ａ）は移動部材の平面図、（Ｂ）は移動部材の底面図である。
【図３】移動部材及び係合部材と秤量皿部床部材との係合関係を示す概念図である。
【図４】（Ａ）は移動部材の斜視図、（Ｂ）は移動部材に取り付ける係止部材の斜視図である。
【図５】風防の一部を構成する下部フレーム部材の斜視図である。
【図６】下部フレーム部材の底面図である。
【図７】図６のＡ部拡大図である。
【図８】図７に示す案内溝部分に移動部材を設置した状態の図であり、（Ａ）は移動部材を引き出した状態を、（Ｂ）は移動部材を押し込んだ状態を各々示す。
【図９】（Ａ）は着脱型風防を取り外した状態の風防と電子秤の斜視図、（Ｂ）は同（Ａ）の正面図である。
【図１０】（Ａ）は着脱型風防を電子秤に装着した状態の着脱型風防及び電子秤の斜視図、（Ｂ）は同（Ａ）の正面図である。
【符号の説明】
【００５３】
１  着脱型風防
２  電子秤
３Ａ、３Ｂ  スライドドア
４  固定パネル
５  下部フレーム部材
６  後部フレーム部材
７  上部フレーム部材
８  上部ドア
１１  係止部材
１１ａ  （係止部材の）床材当接部
１２  移動部材
１２ａ  （移動部材の）つまみ部
１２ｂ  （移動部材の）側壁部
１２ｃ  （移動部材の）庇部
１３  案内溝
１３ａ  （案内溝の）水平部
１３ｂ  （案内溝の）垂直部
１３ｃ  （案内溝の）係合凹所
１３ｄ  （案内溝の）係合凹所
１４ａ、１４ｂ  係止ピン
１５  （電子秤の）秤量皿部床部材
１６  （電子秤の）秤量皿接続部
１７  秤量皿部床部材取り付け用ビス
１８  （電子秤の）堰堤部
１８ａ  （堰堤部の）切り欠き
【図１】
2008216047.tif 000003
【図２】
2008216047.tif 000004
【図３】
2008216047.tif 000005
【図４】
2008216047.tif 000006
【図５】
2008216047.tif 000007
【図６】
2008216047.tif 000008
【図７】
2008216047.tif 000009
【図８】
2008216047.tif 000010
【図９】
2008216047.tif 000011
【図１０】
2008216047.tif 000012